(57)【特許請求の範囲】
【請求項１】
浄化部と浴槽内とを循環流路を介して連通させ、前記浴槽内の浴湯を循環させながら浄化する風呂浄化装置であって、
前記浄化部を収納した装置本体を浴室外に設置し、開状態にした浴室出入口を介して浴室内部空間と外部空間とを連通させるとともに、前記装置本体から伸延させた前記循環流路の先端部を前記浴室出入口を通して前記浴槽内に臨ませ、
さらに、前記循環流路の中途に着脱部を設けて、非入浴時に浴湯を循環浄化可能とする一方、入浴時には、前記着脱部において前記循環流路を浴槽側と装置本体側とに分離して、前記浴室出入口を閉鎖することにより前記浴室の内部空間と外部空間とを仕切り可能としたことを特徴とする風呂浄化装置。
【請求項２】
前記循環流路を浴湯の吐出ホースと吸引ホースとを並設して構成するとともに、前記着脱部を、装置本体側部分吐出ホースと装置本体側部分吸引ホースとに連通連結する装置本体側接続具と、浴槽側部分吐出ホースと浴槽側部分吸引ホースとに連通連結する浴槽側接続具とから構成し、前記装置本体側及び浴槽側接続具同士をワンタッチで着脱可能としたことを特徴とする請求項１記載の風呂浄化装置。
【請求項３】
前記着脱部の装置本体側接続具及び前記浴槽側接続具のそれぞれに、前記吐出ホースと前記吸引ホースとに独立して接続する吐出用接続流路と吸引用接続流路とを形成するとともに、両接続流路内それぞれに、流路連通時には浴湯の流れを妨げることなく、流路分離の際には流路からの漏水を防止する漏水防止手段を配設したことを特徴とする請求項１または２に記載の風呂浄化装置。
【請求項４】
前記着脱部の装置本体側接続具と前記浴槽側接続具とにスイッチ部を設け、両接続具の着脱に伴うスイッチ部同士の接離により浄化部のＯＮ・ＯＦＦ操作を行えるようにしたことを特徴とする請求項１〜３ののいずれかに記載の風呂浄化装置。
【発明の詳細な説明】
【０００１】
【産業上の利用分野】
本発明は、浴槽内の浴湯を循環しながら浄化する風呂浄化装置に関する。
【０００２】
【従来の技術】
近年、浴槽内の浴湯を外設の浄化装置へ導出し、この浄化装置により浴湯を浄化して適温状態で浴槽内へ戻すことで、入浴したいときにいつでも綺麗なお風呂に入れる浴湯循環式の風呂浄化装置が開発されている。
【０００３】
この種の風呂浄化装置にあって、例えば、特開平６−９０８６８号公報の「浴槽湯の保温、浄化システムにおける配線コードの案内装置」のように、設置時に浴室等の壁等に孔をあけたりする必要のない簡易設置型のものがある。
【０００４】
この簡易設置型の風呂浄化装置は、図２６に示すように、浴室１００の出入口１０１を縁取るドアサッシュと、その出入口１０１を開閉するドアとの間に、ドアアダプタ１０２を設け、浴室１００の外に設けられた電源コンセント１０３に連なる作動制御装置１０４から延びた配線コード１０５を、ドアアダプタ１０２を通して浴室１００内へ引き込み、かかる配線コード１０５の先端を浴槽１０６内に配設された、ろ過手段やヒータ及び浴湯循環用のポンプなどを内蔵する保温、浄化装置１０７に接続した構造としている。
【０００５】
かかる構造により、建物の本体部分である浴室１００の壁面１００ａに孔明けなどの付帯工事をすることなしに、浴室１００に、浴湯の保温、浄化システムを設備できるようにしている。なお、１０８は操作用のコードである。
【０００６】
【発明が解決しようとする課題】
しかしながら、上記従来の風呂浄化装置は、浴室の壁等に孔を開けたりする必要がないとはいえ、ドアアダプタ１０２等の取付工事が必要となっており、全く付帯工事が不要で、例えば、賃貸マンション等で簡便に使用できるようなものではなかった。
【０００７】
また、上記構成のものは、保温、浄化装置１０７がろ過手段、ヒータ及びポンプなどを内蔵した比較的容積の大きな装置であるので、例えば一般住宅に備え付けられている一人用の浴槽の場合には、浴槽が小さいために、入浴時に足を縮めて入らなければならず、また、保温、浄化装置１０７を浴槽内ではなく浴室内に設置するタイプのものであっても、浴室内が狭くなるとともに、入浴者に圧迫感を与えるという問題点があった。
【０００８】
また、上記保温、浄化装置１０７は電気機器であって、その外装ケーシングは当然、防水構造となっているが、パッキンの劣化や外装ケーシングの破損などにより浄化部内へ浴湯が浸入したり、配線されたコード１０８自体や、このコード１０８の保温、浄化装置１０７との接続部分に損傷が生じたりして、入浴時に感電するおそれがあるという問題点があった。
【０００９】
【課題を解決するための手段】
そこで、本発明では、浄化部を収納する装置本体を浴室の外に設置して、浴室内には、中途に着脱部を有して浴湯を循環させる循環流路の浴槽側半部を配設するとともに、循環流路の先端部だけを浴槽内に配設するように構成している。
【００１０】
これにより非入浴時には、循環流路の着脱部を連結して浴湯を循環浄化できる一方、入浴時には、着脱部において循環流路を浴槽側と装置本体側とに分離し、浴室出入口を閉鎖して浴室の内部空間と外部空間とを仕切れるようにした。
【００１１】
したがって、風呂浄化装置の設置にあたって何ら付帯工事が必要でなくなり、賃貸マンション等でも簡便に装置を使用することが可能となった。
【００１２】
また、風呂浄化装置の浴室内に配設される部分がコンパクト化し、入浴者が圧迫感なく浴槽にゆったりとつかれるとともに、電気系統を納めた装置本体が浴室外に設置されるので入浴時の感電事故のおそれがなくなる。
【００１３】
【発明の実施の形態】
本発明の請求項１に記載の風呂浄化装置は、浄化部と浴槽内とを循環流路を介して連通させ、浴槽内の浴湯を循環させながら浄化する風呂浄化装置であって、浄化部を収納した装置本体を浴室外に設置し、開状態にした浴室出入口を介して浴室内部空間と外部空間とを連通させるとともに、装置本体から伸延させた循環流路の先端部を浴室出入口を通して浴槽内に臨ませ、さらに循環流路の中途に着脱部を設ける構成とした。
【００１４】
かかる構成により、何ら付帯工事を必要とすることなく風呂浄化装置を設置することができる。
【００１５】
そして、非入浴時には、着脱部を連結して循環流路の浴槽側と装置本体側とを連通させた状態で浴湯を循環させながら、装置本体に内蔵された浄化部により浴湯を浄化し、浴湯中に含まれる汚れを取り除き、入浴者はいつでも綺麗なお風呂に入ることができる。
【００１６】
一方、入浴時には、着脱部において循環流路を浴槽側と装置本体側とに分離するとともに、浴室出入口を閉鎖し、浴室の内部空間と外部空間とを仕切って入浴するようにする。
【００１７】
この際、風呂浄化装置の浴室内に配設される部分が循環流路の浴槽側半部だけとなるので、浴室内を狭くなることがなく、、入浴者は何ら圧迫感を感じることなく浴槽にゆったりとつかれるとともに、電気系統を納めた装置本体が浴室外に設置されることになるので、入浴時の感電事故が解消される。
【００１８】
なお、ここでいう循環流路としては、例えばホースやパイプなどの管体などが採用でき、浴槽内の浴湯の吸入側流路と、浄化部からの浴湯の吐出側流路という２種類の流路を並設させたものを用いることが好ましい。また、浴槽内に配置される循環流路の吸入側先端部には、例えば髪の毛等を捕捉できるフィルター等を装着するとよい。
【００１９】
さらに、循環流路の流路（特に吐出側の流路）の内周面に、例えば銀などの殺菌媒体（銀メッキメッシュや銀メッキ繊維など）を用いて凹凸部やメッシュ加工を施し、流路内で循環中の浴湯の殺菌を行えるようにすることもできる。かかる構成とすれば、殺菌効果をより向上させることができるとともに、殺菌装置を装置本体内に備えている場合に、その装置本体内の殺菌装置を小型化することができるので装置本体全体の小型化が可能となる。
【００２０】
装置本体には、浄化部及び浴湯の循環ポンプが配備され、その他、浴湯殺菌用の紫外線ランプや、循環中に温度低下した浴湯を所定温度まで昇温させるヒータなどを収納している。なお、ヒータは必ずしも必要とせず、これを省略して浄化作用のみを行うようにしてもよい。
【００２１】
浄化部としては、例えば物理ろ材（活性炭、麦飯石、銀添ろ材など）や、微生物の生息しやすい麦飯石、多孔質のセラミック、不織布などからなる生物ろ材を採用している。
【００２２】
この装置本体の配置場所としては、例えば浴室に隣接した脱衣室が考えられるが、屋外などでもよく、浴室外であればどこでもよい。
【００２３】
本発明の請求項２に記載の風呂浄化装置は、請求項１記載の風呂浄化装置において、循環流路を浴湯の吐出ホースと吸引ホースとを並設して構成するとともに、着脱部を、装置本体側部分吐出ホースと装置本体側部分吸引ホースとに連通連結する装置本体側接続具と、浴槽側部分吐出ホースと浴槽側部分吸引ホースとに連通連結する浴槽側接続具とからなる構成としている。
【００２４】
すなわち、着脱部の着脱構造としては、ねじによる螺合構造、ビスなどを使用した締着構造、バンドなどを用いた縛着構造、その他各種の着脱可能な係合構造が採用できるが、請求項２に記載の構成としたことにより、循環流路の着脱時には、装置本体側接続具及び浴槽側接続具を接続したり接続解除することで着脱部の連結や分離を行うことができ、両接続具同士がワンタッチで着脱可能になる。
【００２５】
なお、ワンタッチで着脱可能な構造としては、上記の他に雄、雌嵌合部を有する嵌合構造などが考えられる。
【００２６】
本発明の請求項３に記載の風呂浄化装置は、請求項１または２に記載の風呂浄化装置において、装置本体側接続具及び前記浴槽側接続具のそれぞれに、前記吐出ホースと前記吸引ホースとに独立して接続する吐出用接続流路と吸引用接続流路とを形成するとともに、両接続流路内それぞれに、流路連通時には浴湯の流れを妨げることなく、流路分離の際には流路からの漏水を防止する漏水防止手段を配設した構成としている。なお、漏水防止手段としては、例えば逆止弁などを好適に用いることができる。
【００２７】
かかる構成により、吐出ホース及び吸引ホース中を流れる各浴湯は、それぞれ着脱部を通過して流通するが、この際、装置本体側接続具及び浴槽側接続具の吐出用接続流路内及び吸引用接続流路内に漏水防止手段が設けられているので、両接続具を離反した場合は、各ホースから浴湯が流出するのを防止することができる。
【００２８】
本発明の請求項４に記載の風呂浄化装置は、請求項１から３のいずれかに記載の風呂浄化装置において、装置本体側接続具と前記浴槽側接続具とにスイッチ部を設け、両接続具の着脱に伴うスイッチ部同士の接離により浄化部のＯＮ・ＯＦＦ操作を行えるようにした構成としている。
【００２９】
かかる構成により、装置本体側接続具と浴槽側接続具の分離を行うという、入浴に際して最小限必要な動作のみで浄化部などのＯＮ・ＯＦＦが行え、別途設置された操作パネルなどを操作する必要がなくなり使い勝手が向上する。
【００３０】
【実施例】
以下、本発明の実施例を図面を参照しながら説明する。
【００３１】
図１及び図２に、本発明の実施例１に係る風呂浄化装置Ａを示しており、この風呂浄化装置Ａは、浴室４に隣接する脱衣所１内に設置された装置本体２に内蔵された浄化部３と、浴室４の浴槽５内とを、中途に着脱部６が設けられた循環流路の一例である浴湯の吐出ホース７及び吸引ホース８を介して連通し、浴槽５内の浴湯を両ホース７、８を介して循環しながら浄化するものである。なお、ここでは、脱衣所１が浴室４の外部空間となっている。
【００３２】
前記吐出ホース７は、着脱部６において２分割された装置本体側部分吐出ホース７Ａ及び浴槽側部分吐出ホース７Ｂとからなり、また、吸引ホース８は、着脱部６において２分割された装置本体側部分吸引ホース８Ａ及び浴槽側部分吸引ホース８Ａとからなる。なお、浴槽側部分吐出ホース７Ｂ及び浴槽側部分吸引ホース８Ｂの各先端部７ａ、８ａは、浴槽５の浴湯内に上、下配置されている。
【００３３】
装置本体２は、脱衣所１及び浴室４を仕切る壁９に裏面を対向させた横長な直方体形状としており、同装置本体２に吐出ホース７及び吸引ホース８の元部を接続している。また、装置本体２から配線コード１０を伸延させ、このコード１０の先端のコネクタ１１をトランス１２の出力部に接続している。
【００３４】
図３に示すように、トランス１２の上面には把手１３を取付けており、トランス１２のコード１４は、プラグ１５を介して、脱衣所１のコンセント１６に接続している（図１参照）。トランス１２の出力部には、コネクタ１１を着脱可能に吸着するマグネット１７を取付けている。
【００３５】
図１において、１８は壁９に形成された浴室出入口、１８ａはドア、１９は洗濯機、２０は壁９の脱衣所１側の面に固着された第１の掛止フック、２１は壁９の浴室４側の面に固着された第２の掛止フックである。
【００３６】
図１、図２、及び図４に示すように、着脱部６は、装置本体側部分吐出ホース７Ａ及び装置本体側部分吸引ホース８Ａの一端部が、各々接続リング２２を介して接続される直方体の装置本体側接続具２３と、浴槽側部分吐出ホース７Ｂ及び浴槽側部分吸引ホース８Ｂの一端部が各々接続リング２２を介して接続される直方体の浴槽側接続具２４とから構成されている。
【００３７】
前記両接続具２３、２４の内部には、漏水防止手段として、それぞれ中途に逆流を防ぐ逆止弁２５を配設した吐出用接続流路２６、２６′及び吸引用接続流路２７、２７′を形成している。
【００３８】
図４に示すように、装置本体側接続具２３は、接続側の面に、吐出用接続流路２６及び吸引用接続流路２７に接続される一対の短尺な円柱状の接続凹部２８を形成した雌側の接続具としており、浴槽側接続具２４は、接続側の面に、吐出用接続流路２６′及び吸引用接続流路２７′に接続される一対の短尺な円筒状の接続凸部３２を形成した雄側の接続具としている。
【００３９】
また、装置本体側接続具２３の両側面には、一対の掛止突起３１を形成しており、浴槽側接続具２３の両側面には一対の突片３３を配設し、各突片３３に、爪部３４ａを有する一対の掛止部材３４を、それぞれ図示しないスプリングを外挿したピン３５により軸着している。
【００４０】
すなわち、装置本体側接続具２３と浴槽側接続具２４との着脱は、スプリングのばね力により掛止部材３４の爪部３４ａを掛止突起３１に掛止して、それぞれ一対の接続凹部２８と接続凸部３２とを接続したり、図外のスプリングのばね力に抗して爪部３４ａを掛止突起３１から外した状態で接続凹部２８と接続凸部３２とを離反させることによりワンタッチで行えるようにしている。
【００４１】
さらに、前記装置本体側及び浴槽側接続具２３、２４には、装置本体２内に収納したポンプ３７、ヒータ４０、及び、紫外線ランプ３９を内蔵した殺菌装置（図５〜図７参照）などのＯＮ・ＯＦＦを行うスイッチ部を設けている。
【００４２】
本実施例では、装置本体側接続具２３の接続凹部２８、２８間に、スイッチの一例であるリードスイッチ３０を埋設するとともに、浴槽側接続具２４にマグネット２９を取付けている。
【００４３】
また、装置本体２には、同装置本体２の各種制御を行う制御部（図示せず）を設けた操作パネル４１を設けており、同操作パネル４１に設けた運転ボタン５９を元スイッチとしてＯＮ状態にしておけば、前記両接続具２３、２４を切り離してリードスイッチ３０とマグネット２９とを非接続状態にすると、運転ボタン５９は自動的にＯＦＦ状態となり、再度接続すると、リードスイッチ３０とマグネット２９が吸着して自動的に運転ボタン５９は再びＯＮ状態となる。
【００４４】
他方、運転ボタン５９がはじめからＯＦＦの状態であれば、スイッチ部の接離にかかわらず浄化部３は作動しないように運転ボタン５９を優先させた構成としている。
【００４５】
このように、本実施例では、操作パネル４１の運転ボタン５９をＯＮにしておけば、入浴に際し、着脱部６の装置本体側接続具２３と浴槽側接続具２４の分離を行うだけで、いちいち離れた位置にある操作パネル４１の運転ボタン５９をＯＦＦ操作することなく浄化部３の動作を停止させてすぐに入浴が可能となり、入浴後は着脱部６の両接続具２３，２４を接続すれば、再び浄化部３が作動して浴湯の浄化を行うことができるので使い勝手が良好となる。
【００４６】
また、運転ボタン５９をＯＦＦとしておけば、装置本体２のメンテナンス時や浴槽５を空にして清掃するときなど、着脱部６を一旦切り離した後に再度接続しても浄化部３内のポンプ３７は作動しないので空転させたりすることがない。
【００４７】
なお、装置本体側及び浴槽側接続具２３、２４に設けるスイッチ部の構成は、上記したリードスイッチ３０及びマグネット２９に限るものではなく、例えば、装置本体側接続具２３にマイクロスイッチを設けるとともに、浴槽側接続具２４に突起体などを設け、マイクロスイッチを押して制御部にＯＮ・ＯＦＦ信号を出力できるようにしたり、あるいは、受光、断光による光学式のスイッチを採用することもでき、制御部に信号を出力可能としたものであれば何でもよい。
【００４８】
次に、図５〜図８を参照して装置本体２を詳細に説明する。
【００４９】
本実施例では、図５及び図６に示すように、装置本体２には、外装ケーシング３６内に、ろ過タンク３８を具備する浄化部３と、殺菌装置と、自給式のポンプ３７と、ヒータ４０と、操作パネル４１とを備えており、前記殺菌装置には紫外線ランプ３９を設けている。
【００５０】
図７に示すように、ろ過タンク３８の内部は、好気性菌などの生物ろ材４２が収納された生物ろ材室４３と、活性炭や麦飯石などの物理ろ材４４が収納された物理ろ材室４５とに区画されている。
【００５１】
シーズヒータであるヒータ４０の一方の吸入部と、先端部内にフィルタ４６を設け、かつ中途に逆止弁４７ａを取付けた吸引パイプ８の元部とを、中途に逆止弁４７ｂ及び温度センサ４８を設けた連結パイプ５０Ａにより連結している。また、ヒータ４０の一方の排出部と、ポンプ３７の吸入部とを連結パイプ５０Ｂにより連結しており、さらにポンプ３７の排出部と、物理ろ材室４４の吸入部とを、中途に第１の三方弁４９を有する連結パイプ５０Ｃにより連結している。
【００５２】
また、生物ろ材室４３の排出部と、紫外線ランプ３９を有する殺菌装置の吸入部とを、中途に逆止弁４７ｃ及び第２の三方弁５１を有する連結パイプ５０Ｄにより連結しており、殺菌装置の排出部と、ヒータ４０の他方の吸入部とを、連結パイプ５０Ｅにより連結している。さらに、このヒータ４０の排出部と、吐出パイプ７の元部とを、中途に流量センサ４８ａを有する連結パイプ５０Ｆにより連結している。
【００５３】
なお、第１の三方弁４９の右口と、連結パイプ５０Ｄの逆止弁４７ｃ及び第２の三方弁５１間には、バイパス路５３を連結しており、また第２の三方弁５１の上口と、生物ろ材室４３との間には、中途にエジェクタ５４を有するバイパス路５５を設けている。なお、エジェクタ５４は、外装ケーシング３６のエア取入れ口５４ａに接続している。
【００５４】
また、図５及び図６では省略しているが、図７に示すように、物理ろ材室４４に、先端が外部配管である洗浄水排出ホース５６に連結され、中途に２方向の開閉弁５７を設けた洗浄水用の排水パイプ５８の元部を連結して逆洗流路を形成している。
【００５５】
この場合、洗浄水排水ホース５６または排水パイプ５８のいずれかあるいは両者の内部に殺菌手段を設けて、逆洗時に排水される生物ろ材４２や雑菌類を死滅させて無害な排水とすることができる。なお、ここでの殺菌手段としては、オゾン式や殺菌灯式などが考えられる。
【００５６】
次に、装置本体２の各種制御を行う操作パネル４１について説明すると、操作パネル４１は、制御部を介して浄化部３のＯＮ・ＯＦＦをはじめ各種機能の制御を行うもので、図８に示すように、その表面に運転ボタン５９と、設定湯温、現在湯温、入浴時間、現在時刻を表示するデジタル表示部６０と、浴温表示、入浴時間及び現在時刻の表示を切換える表示切換ボタン６１と、ポンプ出力の高低切換えボタン６２と、ろ材逆洗時の逆流ボタン６３と、紫外線ランプ３９により任意に浴湯殺菌を行うための殺菌ボタン６４とを設けている。そして、入浴に際しては、予め、湯温の上、下設定ボタン６５ａ、６５ｂを操作して予め好みの湯温に設定しておけばよい。
【００５７】
また、逆流ボタン６３を押すことにより、生物ろ材４２及び物理ろ材４４の逆洗は随時行えるが、１日１回の自動洗浄を行うようにすれば使用者の負担が少なく使い勝手が良好となる。
【００５８】
前記デジタル表示部６０は液晶の表示板からなり、通常は湯温を表示しているが、前記表示切換ボタン６１により入浴時間表示モード、時計モードとに任意に切換えが可能となっている。湯温表示を優先させているのは、例えば夏場においては浴温は設定温度よりも高くなるので、温度がわからずに入浴すると、浴湯が熱く感じるからである。なお、湯温が高ければ水を加えて温度調整できる。
【００５９】
また、入浴によるリラクゼイションには、入浴時間を知ることが重要となる。
【００６０】
そこで、表示切換ボタン６１を押して入浴時間表示モードとし、入浴時間のスタートボタン６６ａを押すと、計時が開始されてデジタル表示部６０に入浴時間が表示されるとともに、１５分毎に音楽を鳴らして経過時間を音声で知らせたり、あるいは、音声で時間の経過を告げるようにしている。したがって、操作パネル４１を装置本体２に設けて浴室４の外部に位置させても入浴時間を知ることができる。そして、所望する時間入浴した後にリセットボタン６６ｂを押せば、入浴時間の計時がリセットされる。
【００６１】
また、例えば、操作パネル４１と装置本体２の制御部とを無線により信号伝達可能とすれば、操作パネル４１を浴室４の壁面に取付けることもでき、この場合は、浴槽５内に赤外線センサなどの人体センサを設け、入浴者を検出すると、スタートボタン６６ａを押さなくても自動的に入浴時間表示モードとなり、計時動作を行ってデジタル表示部６０に入浴時間を表示することもできる。ただし、入浴時には時間よりも湯温が重要となるので、入浴者を検出してもその後２〜３分間はデジタル表示部６０は湯温表示のままとすることが好ましい。
【００６２】
また紫外線ランプ３９による殺菌は、８時間毎の自動切換えであるが、もちろん、これに限定しなくても、例えば入浴直前などに、任意に殺菌機能をはたらかせることができる。
【００６３】
すなわち、通常の浄化モードにおける浴湯の浄化運転時は、後に詳述するように、浴槽５→ヒータ４０→ポンプ３７→ろ過タンク３８→殺菌装置→ヒータ４０→浴槽５と循環しているが、ことのき、前記殺菌装置の紫外線ランプ３９は消灯した状態であって、８時間毎にこれを点灯して殺菌機能をはたららせるようにしている。しかし、殺菌ボタン６４を操作すれば、殺菌モードに切り替わり、紫外線ランプ３９が点灯するとともに、浴湯は、浴槽５→ヒータ４０→ポンプ３７→第１の三方弁４９→殺菌装置→ヒータ４０→浴槽５と流路が変えられ、ろ過タンク３８を迂回して、前記三方弁４９の右口から紫外線ランプ３９が点灯した殺菌装置に直接流入するものである。
【００６４】
ところで、本実施例では、装置本体２を脱衣所１に配設したが、これに限定しなくても、例えば、浴室４の洗場が広くて吐出及び吸引ホース７、８の長さが脱衣所１まで届かない場合には、装置本体２を浴室４内の洗場上に配置し、その配線コード１０だけを浴室出入口１８を通して脱衣所１のトランス１２に着脱するようにしてもよい。その際、壁の浴室４側の面に、配線コード１０を巻き付けるコード掛止具を設ける方が好ましい（図２４参照）。
【００６５】
本発明の実施例１は、上記のように構成されているものであり、本実施例１によれば、次のような作用効果が生起される。
【００６６】
すなわち、本風呂浄化装置Ａを設置する場合に、付帯工事を何ら必要としないので、賃貸マンションなどであっても簡単に設置することができ、いつも奇麗に浄化された浴湯で入浴することができる。
【００６７】
そして、本風呂浄化装置Ａにあっては、非入浴時の間に、浴室出入口１８のドア１８ａを開けて着脱部６の装置本体側接続具２３と浴槽側接続具２４とを連結し、吐出及び吸引ホース７、８を連通させておき、リードスイッチ３０がマグネット２９に吸着されることで、装置本体２の運転を自動的に開始するようにしている。もちろん、装置本体２のコネクタ１１は、予めトランス１２の出力部に接続されている。
【００６８】
このように、本風呂浄化装置Ａは、装置本体２の自動運転により浴湯を循環させ、装置本体２に内蔵された浄化部３により非入浴時の間に浴湯を浄化するものである。ただし、自動運転開始当初の所定時間（例えば３０分間）の運転モードは、浴湯中の前入浴者の菌を死滅させるために、浴湯がろ過タンク３８を迂回して殺菌装置に流入する殺菌モードとしている。したがって、日和見感染などを防止することができ、誰でも安心して入浴することができる。
【００６９】
ここで、本風呂浄化装置Ａの運転モードについて詳述する。
【００７０】
風呂浄化装置Ａの浄化モードにおいては、装置本体２内では、図７における第１の三方弁４９の上、下口が開けられ、かつ右口が閉ざされ、また第２の三方弁５１の上口が閉ざされて左、右口が開けられ、さらに開閉弁５７が閉ざされている。
【００７１】
そして、ポンプ３７により、吸引ホース８の大径とした先端部８ａからフィルタ４６を通して装置本体２内に浴湯が吸引され、この吸引された浴湯は、温度センサ４８により温度検出された後、ヒータ４０を通過中に昇温されてから、ポンプ３７を経てろ過タンク３８の物理ろ材室４３へ入る。ここで、物理ろ材４４により一次ろ過され、その後、生物ろ材室４５へ送られて好気性菌の生物ろ材４２による生物ろ過が行われる。ろ過タンク３８から排出された浄化後の浴湯は、逆止弁４７ｃを通過し、紫外線ランプ３９が切られた殺菌装置を素通りして、ヒータ４０により所定温度まで昇温され、流量センサ４８ａにより流量を検出しながら、接続された吐出ホース７へと流れ込み、その大径な先端部７ａより浴槽５内へ噴出される。かかる浄化モード中、８時間毎に前記紫外線ランプ３９を所定時間点灯させて浴湯を殺菌するようにしている。
【００７２】
次に、使用者が任意に設定できる殺菌モードでは、第１の三方弁４９の上口が閉ざされ、下、右口が開けられるという弁の開閉操作だけを浄化モードの場合と異ならせておく。
【００７３】
ポンプ３７により装置本体２内に吸引された浴湯は、第１の三方弁４９の右口からバイパス路５３を介して連結パイプ５０Ｄへ流れ込み、第２の三方弁５１を介して紫外線ランプ３９を有する殺菌装置へ供給される。浴湯はこの殺菌装置を通過中に内蔵された紫外線ランプ３９が点灯することにより殺菌される。したがって、高速で浴湯の殺菌が可能となるとともに、ろ過タンク３８からろ材やろ材に生息した微生物が浴湯内に流入することもないので強力な殺菌効果を奏することができる。
【００７４】
次に、ろ過タンク３８を逆洗する逆洗モードについて説明すると、図７における第１の三方弁４９の上口が閉ざされ、かつ、下、右口が開けられ、また第２の三方弁５１の左、上口が開けられて右口が閉ざされ、さらに開閉弁５７が開けられる。
【００７５】
この状態で、ポンプ３７により装置本体２内に導入された浴湯は、第１の三方弁４９の右口からバイパス路５３を介して連結パイプ５０Ｄへ流れ込み、第２の三方弁５１の上口からバイパス路５５を経て生物ろ材室４５内へ吐出される。このとき、バイパス路５５の中途において、エジェクタ５４を介して、エア取入れ口５４ａから装置本体２内へ取入れられたエアによる気泡を伴った浴湯が、ろ過タンク３８の生物ろ材室４５へ噴出されて、生物ろ材４２を良好に逆洗する。
【００７６】
次いで、生物ろ材４２を逆洗した浴湯は、物理ろ材室４３へと流れて物理ろ材４４を逆洗し、汚れた逆洗水は、排水パイプ５８から開閉弁５７を経て外部の洗浄水排出ホース５６へ流れ込んで排出される。このときに、前述したように、殺菌手段により汚れた逆洗水を殺菌するようにしておけば逆洗水を洗場の排水口に直接流しても安心である。
【００７７】
このように、本実施例に係る風呂浄化装置Ａを用いれば、浴湯中に含まれる汚れを、常時、十分に取り除くことができ、入浴者はいつでも綺麗なお風呂に入ることができ、しかも、これを設置するに際しては付帯工事が全く不要であり、賃貸マンションなどであっても容易に設置可能となる。
【００７８】
また、入浴時には、着脱部６において吸引及び吐出ホース７、８を浴槽５側と装置本体２側とに分離し、浴室出入口１８を閉鎖して、浴室４の内部空間と外部空間とを仕切って入浴するが、この際、風呂浄化装置Ａの浴室４内に配設され部分が両ホース７、８の浴槽側半部だけであるので、浴室４内が狭くなることがなく、入浴者は圧迫感なく浴槽内５にゆったりとつかれる。
【００７９】
しかも、電気系統を納めた装置本体２が浴室４外に設置されるので、入浴時の感電事故が解消できる。なお、離反された装置本体側接続具２３及び浴槽側接続具２４は、それぞれ壁９の両面に配設された第１、２の掛止フック２０、２１に掛止すればよい。
【００８０】
このように、両ホース７、８の着脱時には、装置本体側接続具２３及び浴槽側接続具２４を接続したり接続解除することで着脱部６の連結や分離を行うので、両接続具２３、２４同士がワンタッチで着脱できる。
【００８１】
また、吐出ホース７及び吸引ホース８中を流れる各浴湯は、それぞれ着脱部６を通過して流通するが、この際、装置本体側接続具２３及び浴槽側接続具２４の吐出用接続流路２６、２６′及び吸引用接続流路２７、２７′内に、漏水防止手段としての逆止弁２５が設けられているので、両接続具２３、２４が接続されている場合は浴湯の循環は円滑に行われ、両接続具２３、２４を離反した後にはポンプ３７の駆動が停止するので、各ホース７、８内の浴湯だけの圧力だけでは逆止弁２５の存在により各ホース７、８から浴湯が流出するのを防止できる。
【００８２】
すなわち、装置本体側接続具２３の吐出用接続流路２６及び吸引用接続流路２７内では、内蔵された逆止弁２５により浴湯のボタ落ちが防止される一方、浴槽側接続具２４の吐出用接続流路２６′及び吸引用接続流路２７′内では、内蔵された逆止弁２５によりサイホン現象の揚程差による浴湯の漏れが防止される。
【００８３】
なお、上記実施例１において、図７に示すように、吐出パイプ７の先端部にエジェクタ５２を接続することもできる。
【００８４】
すなわち、脱衣所１の出入り口を閉じることにより、浴室出入り口１８のドア１８ａを閉じる必要なく入浴が行える場合や、その他、母親が乳児を脱衣所１に寝かせた状態で入浴する場合などは、各ホース７、８を着脱部６で装置本体側と浴槽側とに切り離す必要がないため、浄化運転を行いながら入浴することが可能となり、この場合は吐出パイプ７からは気泡混じりの浴湯が噴出されるので浴湯マッサージを行うことが可能となる。
【００８５】
次に、図９に基づいて、本発明の実施例２の風呂浄化装置Ｂを説明する。
【００８６】
図９に示すように、実施例２の風呂浄化装置Ｂは、吐出ホース７′及び吸引ホース８′の各装置本体２側を、軸部６８を中心に垂直回動可能な金属又は合成樹脂製の剛性がある装置本体側部分吐出ホース７Ａ′と、装置本体側部分吸引ホース８Ａ′とした例である。
【００８７】
これにより、実施例１の場合のように、入浴時に入浴者が、装置本体２側の両ホース７Ａ、８Ａをたぐりながら、離脱された装置本体側接続具２３を第１の掛止フック２０に掛止する手間がかからず、単に、棒状の装置本体側部分吐出ホース７Ａ′と、装置本体側部分吸引ホース８Ａ′とを、軸部６８を中心に上方回動させることで収納できる。その他の構成及び作用は、実施例１と同様であるので説明を省略する。
【００８８】
次に、図１０〜図１２に基づいて、本発明の実施例３の風呂浄化装置Ｃを説明する。
【００８９】
図１０、図１１に示すように、実施例３の風呂浄化装置Ｃは、吐出ホース７″の装置本体側部分吐出ホース７Ａ″の中途、及び、浴槽側部分吐出ホース７Ｂ″の中途に、膨出した浴湯の乱流発生部６９（６９′）を複数個所配設するとともに、図１２（ａ）、（ｂ）に示すように、両部分吐出ホース７Ａ″、７Ｂ″内には、殺菌作用を有する銀メッキメッシュ７１、または、銀メッキ繊維（織布又は不織布）７１′からなる殺菌媒体を配設した例である。
【００９０】
乱流発生部６９、６９′としては、例えば図１１（ａ）に示すように、膨出管６９の内周面に設けられる螺旋フィン７２や、図１１（ｂ）に示すように、膨出管６９′の内部に設けられる、十字支持部材７３を介して固着される攪拌羽根７４が挙げられる。
【００９１】
前者の螺旋フィン７２の場合には、吐出ホース７″を通過する浴湯に螺旋流を生じさせることで、また後者の攪拌羽根７４の場合には、吐出ホース７″中の浴湯を分流することで、ホース内の浴湯と殺菌媒体との接触時間を長くして殺菌効果を向上させている。
【００９２】
したがって、装置本体２内の殺菌装置の殺菌作用だけでは不十分であったとしてもホース内での殺菌が可能となって殺菌効果が向上する。そして、このホース内で浴湯を殺菌可能としたことにより、装置本体２内に配設する殺菌装置を小型化することができるので、装置本体２全体の小型化も可能となる。
【００９３】
また、吐出ホース７″内に雑菌が繁殖するおそれがなくなり衛生的で、ホースの洗浄や交換の頻度も少なくてすむ。
さらには、吐出ホース７″にのみ殺菌媒体を配設しているので、装置本体２内の生物ろ過の立ち上がりも速くなる。
【００９４】
なお、吸入ホース８においても、有害な細菌の繁殖はホースの洗浄頻度を多くするので、吐出ホース７″のように積極的に殺菌を行わない程度、すなわち装置本体２の生物ろ過の立ち上げに影響しない程度に抗菌処理を行ってもよい。その他の構成及び作用は、実施例１と同様であるので省略する。
【００９５】
次に、図１３、図１４に基づいて、本発明の実施例４の風呂浄化装置Ｄを説明する。
【００９６】
図１３、図１４に示すように、実施例４の風呂浄化装置Ｄは、吐出及び吸引ホースの中途に設けられた着脱部として、接続時に１個の外部突出した掛止部材により掛止されるそれぞれ直方体の装置本体側及び浴槽側接続具２３Ａ、２４Ａを有するものを採用した例である。
【００９７】
装置本体側接続具２３Ａ内の吸引用接続流路２７の先端及び浴槽側接続具２４Ａ内の吐出用接続流路２６′の先端に、それぞれ短尺筒状の大径接続管７５を配設するとともに、装置本体側接続具２３Ａ内の吐出用接続流路２６の先端及び浴槽側接続具２４Ａ内の吸引用接続流路２７′の先端には、それぞれ先端部にＯリング７６が外嵌された短尺筒状の小径接続管７７を配設している。
【００９８】
装置本体側接続具２３Ａの一側面には、爪状の掛止突起３１′を一体的に形成しており、また浴槽側接続具２４Ａの一側面には、掛止突起３１′に掛止可能な爪部３４ａ′を有する掛止部材３４′を、図示しないスプリングを外挿したピン３５′を介して軸着している。
【００９９】
さらに、装置本体側接続具２３Ａの他側面には切欠部７８を形成しており、この切欠部７８に嵌合される薄肉の嵌合片７９が、浴槽側接続具２４Ａの他側面から突出している。また、装置本体側接続具２３Ａの表面の大径接続管７５側の部分と、浴槽側接続具２４Ａの表面の小径接続管７７側の部分とには、互いに三角形をした符合マーク８０ａ、８０ｂを配置している。かかる符号マーク８０ａ、８０ｂを合わせることにより、ホース接続ミスなどのおそれがなくなる。
【０１００】
そして、両接続具２３Ａ、２４Ａの接続時には、図１３（ａ）に示すように、各符合マーク８０ａ、８０ｂを合致させ、この状態で両接続具２３Ａ、２４Ａに配設された一対の小径接続管７７を対向する大径接続管７５内にＯリング７６を介して圧入させる（図１４参照）。これにより、装置本体側接続具２３Ａ側の切欠部７８に浴槽側接続具２４Ａ側の嵌合片７９が嵌合されるとともに、前記したスプリングに抗して掛止部材３４′の爪部３４ａ′が掛止突起３１′に掛止されて、両接続具２３Ａ、２４Ａがしっかりと接続される（図１３（ｂ）参照）。
【０１０１】
このような接続構造を採用したことで、１個の掛止部材３４′だけでも十分に両接続具２３Ａ、２４Ａを接続でき、しかも、図１４に示すように、浴湯は小径接続管７７から大径接続管７５に流入するので流路抵抗を可及的に小さくすることができる。その他の構成及び作用は、実施例１と同様であるので省略する。
【０１０２】
次に、図１５に基づいて、本発明の実施例５の風呂浄化装置Ｅを説明する。
【０１０３】
図１５に示すように、実施例５の風呂浄化装置Ｅは、吐出及び吸引ホース７、８の中途に設けられた着脱部６として、外部突出する掛止部材なしに接続可能なそれぞれ直方体の装置本体側及び浴槽側接続具２３Ｂ、２４Ｂを有するものを採用した例である。
【０１０４】
すなわち、図１５（ａ）に示すように、浴槽側接続具２４Ｂの表、裏面の先端中央部から突出する一対の掛止片８１の先端部の爪部８１ａを、装置本体側接続具２３Ｂの表、裏面の先端部付近中央部に形成された一対の掛止溝８２に掛止することにより、両接続具２３Ｂ、２４Ｂを堅固に接続するものである。
【０１０５】
なお、装置本体側接続具２３Ｂの表面の小径接続管７７側の部分と、浴槽側接続具２４Ｂの表面の大径接続管７５側の部分とには符合マーク８０ａ、８０ｂを配置している。その他の構成及び作用は、実施例１及び４と同様であるので省略する。
【０１０６】
次に、図１６に基づいて、本発明の実施例６の風呂浄化装置Ｆを説明する。
【０１０７】
図１６に示すように、実施例６の風呂浄化装置Ｆは、吐出及び吸引ホース７、８の中途に設けられた着脱部６として、掛止ピン８３や、ピン掛止溝８４が形成された回動リング８５が配設された円筒状の装置本体側及び浴槽側接続具２３Ｃ、２４Ｃを有するものを採用した例である。
【０１０８】
すなわち、図１６（ａ）に示すように、装置本体側接続具２３Ｃの先端部の外周面に前記掛止ピン８３を突設し、また浴槽側接続具２３Ｃの先端部に、外周縁の一部からＬ字形に周方向へ延びた前記ピン掛止溝８４を有する回動リング８５を回動可能に設けたものである。
【０１０９】
接続時には、掛止ピン８３とピン掛止溝８４とを合致させた状態で、対応する大、小径接続管７５、７７を連結することで、掛止ピン８３をピン掛止溝８４の屈曲部まで挿入し（図１６（ｂ）参照）、その後、図１６（ｃ）に示すように、回動リング８５を矢印方向へ回動させることにより、両接続具２３Ｃ、２４Ｃを接続する。
【０１１０】
このような着脱部６を採用することで、比較的簡単な操作により確実に両接続具２３Ｃ、２４Ｃを接続できる。その他の構成及び作用は、実施例１、４、５と同様であるので省略する。
【０１１１】
次に、図１７〜図１９に基づいて、本発明の実施例７の風呂浄化装置Ｇを説明する。
【０１１２】
図１７に示すように、実施例７の風呂浄化装置Ｇは、吐出及び吸引ホース７、８の中途に設けられた着脱部６として、それぞれ双眼鏡状の装置本体側及び浴槽側接続具２３Ｄ、２４Ｄを有するものを採用した例である。
【０１１３】
両接続具２３Ｄ、２４Ｄは、それぞれ中間が分割仕切り壁８６ａ、８６ｂにより左、右室に区画された元部側ケーシング８７、８７′と、先部側ケーシング８８とを有し、両先部側ケーシング８８の開口部のフランジ８８ａ同士を一対のＣ形クリップ８９により連結したものである。
【０１１４】
次に、図１８を参照して、装置本体側接続具２３Ｄ及び浴槽側接続具２４Ｄについて詳細に説明する。
【０１１５】
両接続具２３Ｄ、２４Ｄの元部側ケーシング８７、８７′は、一端面を開口する一方、他端面の左、右室側の中央部に、それぞれ、吐出用又は吸引用接続流路２６、２６′、２７、２７′を構成する一対の摺動筒軸９０、９０′を前記他端面から若干元部を飛び出させた状態で突設している。なお、浴槽側接続具２４Ｄの摺動筒軸９０′は、装置本体側接続具２３Ｄの摺動筒軸９０より若干短くなっている。
【０１１６】
また、装置本体側接続具２３Ｄ側の各摺動筒軸９０の外部突出した元部には、装置本体側部分吐出ホース７Ａ又は装置本体側部分吸引ホース８Ａを締結リング９１を介して連結しており、さらに、浴槽側接続具２４Ｄ側の各摺動筒軸９０′の外部突出した元部には、浴槽側部分吐出ホース７Ｂ又は浴槽側部分吸引ホース８Ｂを、同じく環状の締結リング９１を介して連結している。
【０１１７】
両接続具２３Ｄ、２４Ｄ側の各摺動筒軸９０、９０′には、断面十字状で、かつ中間部に厚肉な円板状の弁体９２を一体形成した摺動ピン９３の元部を軸線方向へ摺動可能に収納している。各弁体９２の外縁部には、スポンジ製の環状のシール材９４を外装しており、また、各摺動筒軸９０、９０′の先端部の一部には浴湯の流通口９０ａ、９０ａ′を形成している。弁体９２を有する摺動ピン９３は、各摺動筒軸９０、９０′に外挿されたスプリング９５のばね力により、常時、先部側ケーシング８８側へ付勢されている。
【０１１８】
両接続具２３Ｄ、２４Ｄの先部側ケーシング８８は元部側の端面を開口しており、このうち装置本体側接続具２３Ｄ側の先部側ケーシング８８における先端側の端板の両側部に、前記摺動ピン９３の先部が摺動する接続突筒９６を一体形成している。接続突筒９６の元部には、Ｏリング９７を周設しており、また、接続突筒９６の先端部の一部には浴湯の流通口９６ａを形成している。
【０１１９】
一方、浴槽側接続具２４Ｄ側の先部側ケーシング８８における先端側の端板の両側部には、前記接続突筒９６が出し入れされる接続口９８を形成している。
【０１２０】
なお、各接続突筒９６や接続口９８は、通常時、前記各摺動筒軸９０、９０′に外挿されたスプリング９５のばね力により、対応する弁体９２でもって内側から閉蓋している。
【０１２１】
両接続具２３Ｄ、２４Ｄの接続時には、図１９に示すように、装置本体側接続具２３Ｄ側の各接続突筒９０を浴槽側接続具２４Ｄ側の対応する接続口９８に挿入することにより、各スプリング９５のばね力に抗して、浴槽側接続具２４Ｄ側の摺動ピン９３の先部が、装置本体側接続具２３Ｄ側の摺動ピン９３の先部を押し込んで両接続具２３Ｄ、２４Ｄが接続され、その後、前記Ｃ形クリップ８９を両フランジ８８ａに掛止することにより、両接続具２３Ｄ、２４Ｄが堅固に固定される。
【０１２２】
このとき、両接続具２３Ｄ、２４Ｄ内には、同図矢印に示すような浴湯の流路が形成される。すなわち、浴槽側部分吸引ホース８Ｂを流れる浄化前の浴湯は、浴槽側接続具２４Ｄの摺動筒軸９０′、流通口９０ａ′を経て、装置本体側接続具２３Ｄの流通口９６ａ、接続突筒９６、流通口９０ａ、摺動筒軸９０から装置本体側部分吸引ホース８Ａへと流れる。
【０１２３】
また、装置本体側部分吐出ホース７Ａを流れる浄化後の浴湯は、装置本体側接続具２３Ｄの摺動筒軸９０、流通口９０ａ、接続突筒９６、流通口９６ａを経て、浴槽側接続具２４Ｄの流通口９０ａ′、摺動筒軸９０′から浴槽側部分吐出ホース７Ｂへと流れる。
【０１２４】
このように、実施例７に係る風呂浄化装置Ｇの着脱部６の構造は、実施例１、実施例４〜６のようにワンタッチで着脱できる構造とは異なるが、着脱部６として、それぞれ、双眼鏡状の装置本体側及び浴槽側接続具２３Ｄ、２４Ｄを有する構成のものを採用したことにより、確実な浴湯の流路を維持した上で、両接続具２３Ｄ、２４Ｄを堅固に連結できるとともに、両接続具２３Ｄ、２４Ｄを分離した場合には漏水することもない。その他の構成及び作用は、実施例１と同様であるので説明を省略する。
【０１２５】
次に、図２０〜図２２に基づいて、本発明の実施例８の風呂浄化装置Ｈを説明する。
【０１２６】
図２０に示すように、実施例８の風呂浄化装置Ｈは、直方体の装置本体２Ａの長幅方向を壁９に沿わせて、しかも吐出及び吸引ホース７、８を装置本体２Ａの一側端面に連結する一方、反対側の他側端面に配線コード１０を連結して、装置本体２Ａの脱衣所１内への突出長さを短くして脱衣所１の脱衣スペースを広げた例である。
【０１２７】
すなわち、例えば図２１（ａ）に示すような装置本体２Ｂの表面に吐出及び吸引ホース７、８を連結し、かつ配線コード１０を装置本体２Ｂの裏面に連結した場合や、図２１（ｂ）に示すような装置本体２Ｃの短幅方向を壁９に沿わせた場合のように、装置本体２Ｂ、２Ｃの脱衣所１内への突出長さが長くなって、脱衣所１の脱衣スペースが狭くなるのを防止している。
【０１２８】
また、このように直方体の装置本体２Ａの長幅方向を壁９に沿わせたので、例えば図２２（ａ）、（ｂ）の装置本体２Ａと装置本体２Ｃとの比較からわかるように、着脱部６を切り離したり接続したりする場合に吐出及び吸引ホース７、８をたぐったりしても、あるいは、脱衣時の入浴者が装置本体２Ａに当たっても、装置本体２Ａは倒れ難くなっている。その他の構成及び作用は、実施例１と同様であるので省略する。
【０１２９】
なお、図２３〜図２５に示すように、装置本体２Ｄを浴槽５のコーナ上に配設し、長尺な配線コード１０′を、開口する浴室出入口１８を通して脱衣所１に配置されたトランス１２に連結するようにすることもできる。
【０１３０】
浴室出入口１８を閉じて入浴する際には、図２４及び図２５に示すように、浴室４と脱衣所１とを仕切る壁９の浴室４側のタイル面に、吸盤９９ａにより吸着されたコード掛止具９８の基板９９に配設された一対の掛止突片２００に、装置本体２Ｄから延びる配線コード１０′を巻き付け、また配線コード１０′のコネクタ１１を基板９９の上部中央部に形成されたコネクタ差し込み部２０１に差し込んで掛止する。コネクタ１１の先端部にはＯリング１１ａを周設しており、このＯリング１１ａによってコネクタ１１をコネクタ差し込み部２０１に差し込んだ際にシールされて、コネクタ１１の端面の端子が水に濡れるのを防止できる。
【０１３１】
このような構造を有するコード掛止具９８を壁９に固着したので、入浴時の配線コード１０′が洗場内に散在することなく、まとまり良く収納できる。
【０１３２】
【発明の効果】
本発明によれば、次のような効果が得られる。
【０１３３】
すなわち、本発明の請求項１〜３の風呂浄化装置では、浄化部を収納する装置本体を浴室の外に設置して、浴槽内には、中途に着脱部を有して浴湯を循環させる循環流路の先端部だけを配設したので、付帯工事なしに風呂浄化装置の設置が簡単に行える。
【０１３４】
また、風呂浄化装置の浴槽内に配設される部分がコンパクト化して、入浴者が浴槽内にゆったりとつかれるとともに、電気系統を納めた装置本体が浴室外に設置されるので、入浴時の感電事故の虞れを解消できる。
【０１３５】
特に、請求項２記載の風呂浄化装置は、請求項１に記載の効果の他に、循環流路の着脱時には、吐出ホースの上流側及び吸引ホースの下流側が連通連結された装置側接続具と、吐出ホースの下流側及び吸引ホースの上流側が連通連結された浴槽側接続具とを、接続したり離反させることで着脱部の連結や分離を行うようにしたので、両接続具同士をワンタッチで着脱でき、これにより着脱部の着脱を簡易化できる。
【０１３６】
また、請求項３記載の風呂浄化装置は、請求項１又は２記載の効果の他に、前記装置本体側接続具及び前記浴槽側接続具のそれぞれに、前記吐出ホースと前記吸引ホースとに独立して接続する吐出用接続流路と吸引用接続流路とを形成するとともに、両接続流路内それぞれに、流路連通時には浴湯の流れを妨げることなく、流路分離の際には流路からの漏水を防止する漏水防止手段を配設したので、吐出ホース及び吸引ホース中を流れる各浴湯の流れは円滑に維持しながら、接続具を離反した場合は、各ホースから浴湯が流出するのを防止することができる。
【０１３７】
また、請求項３記載の風呂浄化装置は、請求項２または３の効果の他に、装置本体側接続具と前記浴槽側接続具とにスイッチ部を設け、両接続具の着脱に伴うスイッチ部同士の接離により浄化部のＯＮ・ＯＦＦ操作を行えるようにした構成としたので、装置本体側接続具と浴槽側接続具の分離を行うという、入浴に際して最小限必要な動作のみで浄化部のＯＮ・ＯＦＦが行え、別途設置された操作パネルなどを操作する必要がなく使い勝手が向上する。
【図面の簡単な説明】
【図１】本発明の実施例１に係る風呂浄化装置の使用状態を示す断面図である。
【図２】同風呂浄化装置の使用状態を示す斜視図である。
【図３】トランスの拡大斜視図である。
【図４】着脱部の拡大断面図である。
【図５】装置本体の概略拡大正面図である。
【図６】装置本体の概略拡大平面図である。
【図７】装置本体の概略構成図である。
【図８】装置本体の操作パネルの拡大正面図である。
【図９】本発明の実施例２に係る風呂浄化装置の着脱部周辺を示す拡大側面図である。
【図１０】本発明の実施例３に係る風呂浄化装置の使用状態を示す斜視図である。
【図１１】（ａ）吐出ホースの膨出部の拡大断面図である。
（ｂ）吐出ホースの他の膨出部の拡大断面図である。
【図１２】（ａ）吐出ホースの一形態を示す拡大断面図である。
（ｂ）吐出ホースの他の形態を示す拡大断面図である。
【図１３】（ａ）本発明の実施例４に係る風呂浄化装置の着脱部の分離状態を示す拡大斜視図である。
（ｂ）本発明の実施例４に係る風呂浄化装置の着脱部の接続状態を示す拡大斜視図である。
【図１４】接続状態の着脱部の要部拡大断面図である。
【図１５】（ａ）本発明の実施例５に係る風呂浄化装置の着脱部の分離状態を示す拡大斜視図である。
（ｂ）本発明の実施例５に係る風呂浄化装置の着脱部の接続状態を示す拡大斜視図である。
【図１６】（ａ）本発明の実施例６に係る風呂浄化装置の着脱部の分離状態を示す拡大斜視図である。
（ｂ）本発明の実施例６に係る風呂浄化装置の着脱部の分離状態を示す拡大側面図である。
（ｃ）本発明の実施例６に係る風呂浄化装置の着脱部の接続状態を示す拡大側面図である。
【図１７】本発明の実施例７に係る風呂浄化装置の着脱部の接続状態を示す拡大斜視図である。
【図１８】着脱部の分離状態を示す拡大断面図である。
【図１９】着脱部の接続状態を示す拡大断面図である。
【図２０】他の実施形態に係る風呂浄化装置の使用状態を示す概略平面図である。
【図２１】風呂浄化装置の使用状態を示す概略平面図である。
【図２２】（ａ）本発明の実施例に係る風呂浄化装置の装置本体の横倒しし難さの度合いを示す概略拡大正面図である。
（ｂ）従来の風呂浄化装置の装置本体の横倒し難さの度合いを示す概略拡大正面図である。
【図２３】他の形態に係る風呂浄化装置の使用状態を示す斜視図である。
【図２４】コード掛止具の拡大斜視図である。
【図２５】コード掛止具の拡大断面図である。
【図２６】従来手段に係る風呂浄化装置の使用状態における拡大断面図である。
【符号の説明】
Ａ  風呂浄化装置
１  脱衣所
２  装置本体
３  浄化部
４  浴室
５  浴槽
６  着脱部
７  吐出ホース
８  吸引ホース
１８  浴室出入口
１８ａ  ドア
【図１】
0003833315.tif 000002
【図２】
0003833315.tif 000003
【図３】
0003833315.tif 000004
【図４】
0003833315.tif 000005
【図５】
0003833315.tif 000006
【図６】
0003833315.tif 000007
【図７】
0003833315.tif 000008
【図８】
0003833315.tif 000009
【図９】
0003833315.tif 000010
【図１０】
0003833315.tif 000011
【図１１】
0003833315.tif 000012
【図１２】
0003833315.tif 000013
【図１３】
0003833315.tif 000014
【図１４】
0003833315.tif 000015
【図１５】
0003833315.tif 000016
【図１６】
0003833315.tif 000017
【図１７】
0003833315.tif 000018
【図１８】
0003833315.tif 000019
【図１９】
0003833315.tif 000020
【図２０】
0003833315.tif 000021
【図２１】
0003833315.tif 000022
【図２２】
0003833315.tif 000023
【図２３】
0003833315.tif 000024
【図２４】
0003833315.tif 000025
【図２５】
0003833315.tif 000026
【図２６】
0003833315.tif 000027